【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
弾性を有する一体形成物であり、テーププリンターに装着されるプリンター用カバーであって、
前記テーププリンターは、
テープカートリッジが装着されるカートリッジ装着部の開放部分が形成された装着ケース面が含まれる複数のケース面と、
前記開放部分を開放可能に閉塞するカートリッジ蓋と、を備え、
前記プリンター用カバーは、
前記装着ケース面を覆う装着カバー面が含まれる複数のカバー面と、
前記装着カバー面に設けられ、前記カートリッジ蓋を露出させる蓋露出開口と、
を備えたことを特徴とするプリンター用カバー。
【請求項２】
前記テーププリンターにおいて、
前記カートリッジ蓋は、第１蓋部と、前記第１蓋部に連続する第２蓋部と、を有し、
前記装着ケース面は、第１装着ケース面と、前記第１装着ケース面に連続する第２装着ケース面と、を含み、
前記第１蓋部は、前記第１装着ケース面に形成された第１開放部分を閉塞し、
前記第２蓋部は、前記第２装着ケース面に形成された第２開放部分を閉塞し、
前記プリンター用カバーは、
前記第１装着ケース面を覆う第１装着カバー面と、
前記第２装着ケース面を覆う第２装着カバー面と、
前記第１装着カバー面に設けられ、前記第１蓋部を露出させる第１蓋露出開口と、
前記第２装着カバー面に設けられ、前記第２蓋部を露出させる第２蓋露出開口と、
を備えたことを特徴とする請求項１に記載のプリンター用カバー。
【請求項３】
前記テーププリンターは、前記装着ケース面に対して交差する２つの前記ケース面が互いに交差する角部に設けられたプリンター側面取り部、を備え、
前記プリンター用カバーは、前記装着カバー面に対して交差する２つの前記カバー面が互いに交差する角部に設けられ、前記プリンター側面取り部を覆うカバー側面取り部、を備えたことを特徴とする請求項１または２に記載のプリンター用カバー。
【請求項４】
前記テーププリンターにおいて、前記プリンター側面取り部は、前記装着ケース面に向かって、前記装着ケース面の内側に傾斜しており、
前記プリンター用カバーにおいて、前記カバー側面取り部は、前記装着カバー面に向かって、前記装着カバー面の内側に傾斜していることを特徴とする請求項３に記載のプリンター用カバー。
【請求項５】
前記テーププリンターは、操作ボタンを備え、
前記プリンター用カバーは、
前記操作ボタンを覆うボタン被覆部、を備え、
前記ボタン被覆部は、前記ボタン被覆部の周縁部と比べて、厚さが異なることを特徴とする請求項１ないし４のいずれか一項に記載のプリンター用カバー。
【請求項６】
前記装着カバー面において、前記蓋露出開口の縁部の幅が、１０ｍｍ以上１５ｍｍ以下であるであることを特徴とする請求項１ないし５のいずれか一項に記載のプリンター用カバー。
【手続補正２】
【補正対象書類名】明細書
【補正対象項目名】全文
【補正方法】変更
【補正の内容】
【発明の詳細な説明】
【発明の名称】プリンター用カバー
【技術分野】
【０００１】
本発明は、テーププリンターに装着されるプリンター用カバーに関するものである。
【背景技術】
【０００２】
従来、特許文献１が開示するように、開閉可能な蓋（オープンカバー）を備えたプリンター（ポータブルプリンター）に装着されるプリンター用カバー（緩衝部材）が知られている。このプリンター用カバーは、蓋の回動端を覆うようにしてプリンターに装着される。なお、本段落において、括弧内の文言は、特許文献１における名称を示す。
【先行技術文献】
【特許文献】
【０００３】
【特許文献１】特開平１１−２５４７８９号公報
【発明の概要】
【発明が解決しようとする課題】
【０００４】
従来のプリンター用カバーは、プリンターに装着された状態において、蓋の回動端を覆うことから、蓋の開閉動作を妨げてしまう。そのため、蓋を開く際には、プリンター用カバーを取り外す必要があり、不便である。
【０００５】
本発明は、テーププリンターに装着された状態において、カートリッジ蓋の開閉動作を可能とするプリンター用カバーを提供することを課題としている。
【課題を解決するための手段】
【０００６】
本発明のプリンター用カバーは、弾性を有する一体形成物であり、テーププリンターに装着されるプリンター用カバーであって、テーププリンターは、テープカートリッジが装着されるカートリッジ装着部の開放部分が形成された装着ケース面が含まれる複数のケース面と、開放部分を開放可能に閉塞するカートリッジ蓋と、を備え、プリンター用カバーは、装着ケース面を覆う装着カバー面が含まれる複数のカバー面と、装着カバー面に設けられ、カートリッジ蓋を露出させる蓋露出開口と、を備えたことを特徴とする。
【０００７】
この構成によれば、プリンター用カバーがテーププリンターに装着された状態において、カートリッジ蓋が蓋露出開口から露出する。これにより、プリンター用カバーがテーププリンターに装着された状態において、カートリッジ蓋の開閉動作を可能とする。
【０００８】
この場合、テーププリンターにおいて、カートリッジ蓋は、第１蓋部と、第１蓋部に連続する第２蓋部と、を有し、装着ケース面は、第１装着ケース面と、第１装着ケース面に連続する第２装着ケース面と、を含み、第１蓋部は、第１装着ケース面に形成された第１開放部分を閉塞し、第２蓋部は、第２装着ケース面に形成された第２開放部分を閉塞し、プリンター用カバーは、第１装着ケース面を覆う第１装着カバー面と、第２装着ケース面を覆う第２装着カバー面と、第１装着カバー面に設けられ、第１蓋部を露出させる第１蓋露出開口と、第２装着カバー面に設けられ、第２蓋部を露出させる第２蓋露出開口と、を備えたことが好ましい。
【０００９】
この構成によれば、カートリッジ蓋の第１蓋部が第１蓋露出開口から露出し、カートリッジ蓋の第２蓋部が第２蓋露出開口から露出する。これにより、プリンター用カバーがテーププリンターに装着された状態において、カートリッジ蓋の開閉動作を可能とする。また、第１蓋露出開口と第２蓋露出開口とが連続して設けられているため、第１蓋露出開口と第２蓋露出開口とを容易に広げることができる。
【００１０】
この場合、テーププリンターは、装着ケース面に対して交差する２つのケース面が互いに交差する角部に設けられたプリンター側面取り部、を備え、プリンター用カバーは、装着カバー面に対して交差する２つのカバー面が互いに交差する角部に設けられ、プリンター側面取り部を覆うカバー側面取り部、を備えたことが好ましい。
【００１１】
この構成によれば、テーププリンターにプリンター用カバーを装着する際に、テーププリンターの２つの面が互いに交差する角部に、プリンター用カバーの２つのカバー面が互いに交差する角部を、容易に合わせることができる。
【００１２】
この場合、テーププリンターにおいて、プリンター側面取り部は、装着ケース面に向かって、装着ケース面の内側に傾斜しており、プリンター用カバーにおいて、カバー側面取り部は、装着カバー面に向かって、装着カバー面の内側に傾斜していることが好ましい。
【００１３】
この構成によれば、カバー側面取り部における装着カバー面側の端部を、カバー側面取り部が傾斜していない場合に比べ、弱い力で装着カバー面の外側に引っ張ることができる。したがって、蓋露出開口を容易に広げることができる。
【００１４】
この場合、テーププリンターは、操作ボタンを備え、プリンター用カバーは、操作ボタンを覆うボタン被覆部、を備え、ボタン被覆部は、ボタン被覆部の周縁部と比べて、厚さが異なることが好ましい。
【００１５】
この構成によれば、プリンター用カバーがテーププリンターに装着された状態において、操作ボタンの位置を目立たせ、操作ボタンに対する操作性を向上させることができる。
【００１６】
この場合、装着カバー面において、蓋露出開口の縁部の幅が、１０ｍｍ以上１５ｍｍ以下であるであることが好ましい。
【００１７】
この構成によれば、蓋露出開口の縁部の幅が、１０ｍｍ以上であるため、テーププリンターの角部を適切に保護することができる。また、蓋露出開口の縁部の幅が、１５ｍｍ以下であるため、プリンター用カバーの着脱操作を容易に行うことができる。
【図面の簡単な説明】
【００１８】
【図１】本発明の一実施形態に係るプリンター用カバーが装着されるテーププリンタ    ーであって、カートリッジ蓋が開かれた状態におけるテーププリンターの斜視図であ    る。
【図２】カートリッジ蓋が閉じられた状態におけるテーププリンターの斜視図である    。
【図３】図２とは異なる方向から見たテーププリンターの斜視図である。
【図４】第１ケース面側から見たテーププリンターの図である。
【図５】テーププリンターに装着されたプリンター用カバーの斜視図である。
【図６】図５において、プリンター用カバーを塗り潰した図である。
【図７】図５とは異なる方向から見た、テーププリンターに装着されたプリンター用    カバーの斜視図である。
【図８】図７において、プリンター用カバーを塗り潰した図である。
【図９】第１カバー面側から見た、テーププリンターに装着されたプリンター用カバ    ーの図である。
【図１０】第２カバー面側から見た、テーププリンターに装着されたプリンター用カ    バーの図である。
【図１１】第３カバー面側から見た、テーププリンターに装着されたプリンター用カ    バーの図である。
【発明を実施するための形態】
【００１９】
以下、本発明のプリンター用カバーの一実施形態について説明する。本実施形態のプリンター用カバーは、テーププリンターを落下衝撃等の外部ダメージから保護するために、テーププリンターに装着されるものである。なお、以下の図面では、必要に応じて、各部の配置関係を明確にするために、ＸＹＺ直交座標系を表示するが、それが本発明を何ら限定するものではないことは、言うまでもない。
【００２０】
図１ないし図４に基づいて、テーププリンター１について説明する。テーププリンター１は、カートリッジ装着部１４に装着されたテープカートリッジＴＣから繰り出されたテープ（図示省略）に対し、パソコン或いはスマートフォンなどの外部装置から送信された印刷データに基づいて、印刷機構（図示省略）により印刷を行う。テーププリンター１は、外殻を構成する部材として、装置ケース１１と、カートリッジ蓋１２と、電池蓋１３とを備えている。
【００２１】
装置ケース１１は、略直方体状に形成されている。装置ケース１１は、＋Ｘ側の第１ケース面１１１と、−Ｙ側の第２ケース面１１２と、−Ｘ側の第３ケース面１１３と、＋Ｙ側の第４ケース面１１４と、＋Ｚ側の第５ケース面１１５と、−Ｚ側の第６ケース面１１６とを備えている。なお、これら６つのケース面のうち、第１ケース面１１１および第３ケース面１１３が最も大きい。また、テーププリンター１は、通常の使用状態では、第６ケース面１１６が下方（鉛直方向）となる姿勢で、机等に置かれる。
【００２２】
また、装置ケース１１は、第１プリンター側面取り部１１７と、第２プリンター側面取り部１１８とを備えている。第１プリンター側面取り部１１７は、第２ケース面１１２と第５ケース面１１５とが互いに交差する（より具体的には、直交する）角部に設けられている。第２プリンター側面取り部１１８は、第２ケース面１１２と第６ケース面１１６とが互いに交差する（より具体的には、直交する）角部に設けられている。なお、第２ケース面１１２、第５ケース面１１５および第６ケース面１１６は、いずれも、第１ケース面１１１と交差する（より具体的には、直交する）。
【００２３】
装置ケース１１には、カートリッジ装着部１４と、電池装着部（図示省略）とが設けられている。
【００２４】
カートリッジ装着部１４は、第１ケース面１１１から第２ケース面１１２にかけて設けられている。カートリッジ装着部１４には、印刷対象となるテープが収容されたテープカートリッジＴＣが装着される。カートリッジ装着部１４は、第１ケース面１１１に設けられた第１開放部分１４１と、第１ケース面１１１に連続する第２ケース面１１２に設けられた第２開放部分１４２とを備えている。第１開放部分１４１から、テープカートリッジＴＣがカートリッジ装着部１４に装着される。第２開放部分１４２は、第１開放部分１４１と連続している。カートリッジ装着部１４の第１開放部分１４１および第２開放部分１４２は、カートリッジ蓋１２によって開放可能に閉塞される。
【００２５】
電池装着部は、第６ケース面１１６から第３ケース面１１３にかけて設けられている。電池装着部には、テーププリンター１の電源となる電池が装着される。電池装着部の開放部分は、電池蓋１３によって開放可能に閉塞される。
【００２６】
また、装置ケース１１の第２ケース面１１２には、テープ排出口１５が設けられている。テープ排出口１５からは、カートリッジ装着部１４に装着されたテープカートリッジＴＣから繰り出されたテープの印刷済み部分が排出される。
【００２７】
装置ケース１１の第４ケース面１１４には、無線接続ボタン１６と、ＡＣ（Alternating Current）アダプター差込口１７と、ＵＳＢ（Universal Serial Bus）コネクター１８と、ワイヤー取付部１９とが設けられている。無線接続ボタン１６は、テーププリンター１を外部装置と無線接続するために操作される。ＡＣアダプター差込口１７には、ＡＣアダプターのプラグが差し込まれる。ＵＳＢコネクター１８には、ＵＳＢケーブルの端子が差し込まれる。ワイヤー取付部１９には、盗難防止用のワイヤーが取り付けられる。
【００２８】
第１プリンター側面取り部１１７において、第１ケース面１１１側（＋Ｘ側）にはライト領域１１７ａが設けられ、第３ケース面１１３側（−Ｘ側）には電源ボタン１１７ｂが設けられている。ライト領域１１７ａには、１或いは複数のライト（図示省略）が設けられている。ライトは、例えば、テーププリンター１がエラー状態となった場合に、点灯或いは点滅するものである。電源ボタン１１７ｂは、テーププリンター１の電源のＯＮ／ＯＦＦを切り替えるために操作される。
【００２９】
さらに、第１プリンター側面取り部１１７は、第１ケース面１１１側（＋Ｘ側）の幅に比べて、第３ケース面１１３側（−Ｘ側）の幅が小さくなっている。換言すれば、第１プリンター側面取り部１１７は、第１ケース面１１１側（＋Ｘ側）に向かって、第１ケース面１１１の内側に傾斜している。このため、ユーザーは、ライト領域１１７ａに設けられたライトを、第２ケース面１１２側（−Ｙ側）からのみならず、第１ケース面１１１側（＋Ｘ側）からも、視認することができる（図４参照）。
【００３０】
カートリッジ蓋１２は、ユーザーが、カートリッジ装着部１４に対してテープカートリッジＴＣを着脱する際などに開閉される。カートリッジ蓋１２は、非透光性の蓋部材１２１と、透光性の窓部材１２２とを備えている。
【００３１】
蓋部材１２１は、＋Ｙ側の端部を中心として回転可能なように、第１ケース面１１１に取り付けられている。蓋部材１２１は、カートリッジ装着部１４の第１開放部分１４１と略同形に形成されており、カートリッジ装着部１４の第１開放部分１４１を開放可能に閉塞する。蓋部材１２１には、蓋開口１２１ａが設けられている。
【００３２】
窓部材１２２は、第１窓部１２２ａと、第２窓部１２２ｂとを備えている。第１窓部１２２ａは、蓋開口１２１ａを閉塞している。第１窓部１２２ａが蓋開口１２１ａに裏側から嵌め込まれることで、窓部材１２２が蓋部材１２１に固定される。第２窓部１２２ｂは、第１窓部１２２ａの−Ｙ側の端部から−Ｘ側に突出している。第２窓部１２２ｂは、第２開放部分１４２と略同形に形成されており、カートリッジ装着部１４の第２開放部分１４２を開放可能に閉塞する。第２窓部１２２ｂの基端部には、指掛け部１２２ｃが設けられている。指掛け部１２２ｃは、ユーザーがカートリッジ蓋１２を開ける際に、指を掛ける部分として機能する。
【００３３】
ユーザーは、カートリッジ蓋１２が閉められた状態において、カートリッジ装着部１４に装着されたテープカートリッジＴＣを、第１ケース面１１１側（＋Ｘ側）から第１窓部１２２ａを介して視認することができると共に、第２ケース面１１２側（−Ｙ側）から第２窓部１２２ｂを介して視認することができる。
【００３４】
図５ないし図１１に基づいて、プリンター用カバー２について説明する。なお、図６および図８は、プリンター用カバー２とテーププリンター１とを見分けやすいように、プリンター用カバー２を塗り潰して示す。
【００３５】
プリンター用カバー２は、弾性を有する一体形成物であり、テーププリンター１を包み込むようにして、テーププリンター１に装着される。プリンター用カバー２の材質は、特に限定されるものではないが、例えば、シリコーンゴムを用いることができる。
【００３６】
プリンター用カバー２は、装置ケース１１と略同形状すなわち略直方体状に形成されている。プリンター用カバー２は、＋Ｘ側の第１カバー面２１と、−Ｙ側の第２カバー面２２と、−Ｘ側の第３カバー面２３と、＋Ｙ側の第４カバー面２４と、＋Ｚ側の第５カバー面２５と、−Ｚ側の第６カバー面２６とを備えている。プリンター用カバー２がテーププリンター１に装着された状態において、第１カバー面２１、第２カバー面２２、第３カバー面２３、第４カバー面２４、第５カバー面２５および第６カバー面２６が、それぞれ、第１ケース面１１１、第２ケース面１１２、第３ケース面１１３、第４ケース面１１４、第５ケース面１１５および第６ケース面１１６を覆う。
【００３７】
また、プリンター用カバー２は、第１カバー側面取り部２７と、第２カバー側面取り部２８とを備えている。第１カバー側面取り部２７は、第２カバー面２２と第５カバー面２５とが互いに交差する（より具体的には、直交する）角部に設けられている。第１カバー側面取り部２７は、第１プリンター側面取り部１１７を覆う。第２カバー側面取り部２８は、第２カバー面２２と第６カバー面２６とが互いに交差する（より具体的には、直交する）角部に設けられている。第２カバー側面取り部２８は、第２プリンター側面取り部１１８を覆う。なお、第２カバー面２２、第５カバー面２５および第６カバー面２６は、いずれも、第１カバー面２１と交差する（より具体的には、直交する）。
【００３８】
第１カバー面２１には、第１蓋露出開口２１１が設けられている。第１蓋露出開口２１１は、プリンター用カバー２がテーププリンター１に装着された状態において、蓋部材１２１を露出させる。また、第１カバー面２１に連続する第２カバー面２２には、第２蓋露出開口２２１が設けられている。第２蓋露出開口２２１は、第１蓋露出開口２１１と連続している。第２蓋露出開口２２１は、プリンター用カバー２がテーププリンター１に装着された状態において、第２窓部１２２ｂおよびテープ排出口１５を露出させる。なお、第２蓋露出開口２２１は、第１蓋露出開口２１１よりも小さい。
【００３９】
このように、プリンター用カバー２がテーププリンター１に装着された状態において、カートリッジ蓋１２の蓋部材１２１が第１蓋露出開口２１１から露出し、カートリッジ蓋１２の第２窓部１２２ｂが第２蓋露出開口２２１から露出している。これにより、プリンター用カバー２がテーププリンター１に装着された状態において、カートリッジ蓋１２の開閉動作を可能とする。すなわち、ユーザーは、プリンター用カバー２がテーププリンター１に装着された状態のまま、カートリッジ蓋１２を開けたり閉めたりすることができる。
【００４０】
また、プリンター用カバー２がテーププリンター１に装着された状態において、カートリッジ蓋１２の第１窓部１２２ａが第１蓋露出開口２１１から露出し、カートリッジ蓋１２の第２窓部１２２ｂが第２蓋露出開口２２１から露出している。これにより、プリンター用カバー２がテーププリンター１に装着された状態において、カートリッジ装着部１４に装着されたテープカートリッジＴＣを、第１窓部１２２ａ或いは第２窓部１２２ｂを介して視認可能とする。すなわち、ユーザーは、プリンター用カバー２がテーププリンター１に装着された状態のまま、第１窓部１２２ａ或いは第２窓部１２２ｂを介して、カートリッジ装着部１４に装着されたテープカートリッジＴＣを視認することができる。
【００４１】
さらに、プリンター用カバー２がテーププリンター１に装着された状態において、テープ排出口１５が第２蓋露出開口２２１から露出している。これにより、プリンター用カバー２がテーププリンター１に装着された状態において、印刷済みのテープがテープ排出口１５から排出されることを可能とする。すなわち、ユーザーは、プリンター用カバー２がテーププリンター１に装着された状態のまま、テーププリンター１に印刷動作を実行させることができる。
【００４２】
第１カバー面２１において、第１蓋露出開口２１１の縁部の幅Ｄ１は、１０ｍｍ以上１５ｍｍ以下であることが好ましい（図９参照）。同様に、第２カバー面２２において、第２蓋露出開口２２１の縁部の幅Ｄ２は、１０ｍｍ以上１５ｍｍ以下であることが好ましい（図１０参照）。第１蓋露出開口２１１の縁部の幅Ｄ１および第２蓋露出開口２２１の縁部の幅Ｄ２が１０ｍｍ以上であれば、テーププリンター１の角部を適切に保護することができる。第１蓋露出開口２１１の縁部の幅Ｄ１および第２蓋露出開口２２１の縁部の幅Ｄ２が１５ｍｍ以下であれば、プリンター用カバー２の着脱操作を容易に行うことができる。
【００４３】
第３カバー面２３の周縁部には、＋Ｙ側が開放された略「Ｕ」字状の厚肉部２３１が設けられている。厚肉部２３１は、第３カバー面２３の中央部に比べて、厚肉に形成され、表側に盛り上がっている。厚肉部２３１の幅Ｄ３は、第１蓋露出開口２１１の縁部の幅Ｄ１或いは第２蓋露出開口２２１の縁部の幅Ｄ２よりも大きく、例えば２０ｍｍ以上である（図１１参照）。
【００４４】
第４カバー面２４には、ボタン露出開口２４１が設けられている。ボタン露出開口２４１は、プリンター用カバー２がテーププリンター１に装着された状態において、無線接続ボタン１６のほか、ＡＣアダプター差込口１７、ＵＳＢコネクター１８およびワイヤー取付部１９を露出させる。これにより、プリンター用カバー２がテーププリンター１に装着された状態において、無線接続ボタン１６等に対するアクセスを可能とする。すなわち、ユーザーは、プリンター用カバー２がテーププリンター１に装着された状態のまま、無線接続ボタン１６を押し、ＡＣアダプター差込口１７にＡＣアダプターのプラグを差し込み、ＵＳＢコネクター１８にＵＳＢケーブルの端子を差し込み、或いは、ワイヤー取付部１９にケーブルを取り付けることができる。
【００４５】
第１カバー側面取り部２７には、ライト露出開口２７ａと、ボタン被覆部２７ｂとが設けられている。
【００４６】
ライト露出開口２７ａは、プリンター用カバー２がテーププリンター１に装着された状態において、第１プリンター側面取り部１１７のライト領域１１７ａを露出させる。これにより、プリンター用カバー２がテーププリンター１に装着された状態において、ライト領域１１７ａに設けられたライトをユーザーに視認させることができる。すなわち、ユーザーは、プリンター用カバー２がテーププリンター１に装着された状態のまま、ライトを視認することができる。
【００４７】
ボタン被覆部２７ｂは、第１プリンター側面取り部１１７の電源ボタン１１７ｂを覆う。ボタン被覆部２７ｂの表面には、電源ボタン１１７ｂを示す記号が表示されている。ボタン被覆部２７ｂは、ボタン被覆部２７ｂの周縁部（換言すれば、第１カバー側面取り部２７の周縁部）と比べて、厚さが薄い。すなわち、ボタン被覆部２７ｂは、その表面側が凹んだ凹部となっている。これにより、プリンター用カバー２がテーププリンター１に装着された状態において、電源ボタン１１７ｂの位置を目立たせ、電源ボタン１１７ｂに対する操作性を向上させることができる。すなわち、ユーザーは、プリンター用カバー２がテーププリンター１に装着された状態でも、電源ボタン１１７ｂの位置を容易に見つけることができ、また、電源ボタン１１７ｂを押すことができたか否かを指先の感触で確認することができる。
【００４８】
さらに、第１カバー側面取り部２７は、第１プリンター側面取り部１１７と同様に、第１カバー面２１側（＋Ｘ側）の幅に比べて、第３カバー面２３側（−Ｘ側）の幅が小さくなっている。換言すれば、第１カバー側面取り部２７は、第１カバー面２１側（＋Ｘ側）に向かって、第１カバー面２１の内側に傾斜している。
【００４９】
このように構成されたプリンター用カバー２が、テーププリンター１に装着される際には、まず、ユーザーにより第１蓋露出開口２１１および第２蓋露出開口２２１が広げられる。その状態で、第１蓋露出開口２１１および第２蓋露出開口２２１からテーププリンター１がプリンター用カバー２内に入れられる。このとき、上述したように、第１蓋露出開口２１１と第２蓋露出開口２２１とが連続して設けられているため、第１蓋露出開口２１１と第２蓋露出開口２２１とを容易に広げることができる。
【００５０】
続いて、プリンター用カバー２の角部にテーププリンター１の角部（より具体的には、装置ケース１１の角部）が合わせられる。このとき、上述したように、装置ケース１１には、第２ケース面１１２と第５ケース面１１５とが交差する角部に、第１プリンター側面取り部１１７が設けられ、プリンター用カバー２には、第２カバー面２２と第５カバー面２５とが交差する角部に、第１カバー側面取り部２７が設けられている。すなわち、装置ケース１１の第２ケース面１１２と第５ケース面１１５とが交差する角部、およびプリンター用カバー２の第２カバー面２２と第５カバー面２５とが交差する角部は、第１プリンター側面取り部１１７および第１カバー側面取り部２７が設けられていない場合に比べ、角部の内角の角度が大きくなっている。これにより、装置ケース１１の第２ケース面１１２と第５ケース面１１５とが交差する角部に、プリンター用カバー２の第２カバー面２２と第５カバー面２５とが交差する角部を、容易に合わせることができる。同様に、装置ケース１１には、第２ケース面１１２と第６ケース面１１６とが交差する角部に、第２プリンター側面取り部１１８が設けられ、プリンター用カバー２には、第２カバー面２２と第６カバー面２６とが交差する角部に、第２カバー側面取り部２８が設けられている。これにより、装置ケース１１の第２ケース面１１２と第６ケース面１１６とが交差する角部に、プリンター用カバー２の第２カバー面２２と第６カバー面２６とが交差する角部を、容易に合わせることができる。
【００５１】
プリンター用カバー２の角部にテーププリンター１の角部が合わせられ後、ユーザーがプリンター用カバー２およびテーププリンター１から手を外すと、プリンター用カバー２は、その弾性により、装置ケース１１に密着する。
【００５２】
一方、プリンター用カバー２がテーププリンター１から取り外される際には、ユーザーにより第１蓋露出開口２１１および第２蓋露出開口２２１が広げられる。その状態で、第１蓋露出開口２１１および第２蓋露出開口２２１からテーププリンター１が取り出される。このとき、上述したように、第１プリンター側面取り部１１７は、第１ケース面１１１側（＋Ｘ側）に向かって、第１ケース面１１１の内側に傾斜し、また、第１カバー側面取り部２７は、第１カバー面２１側（＋Ｘ側）に向かって、第１カバー面２１の内側に傾斜している。このため、第１カバー側面取り部２７における第１カバー面２１側の端部を、第１カバー側面取り部２７が傾斜していない場合に比べ、弱い力で第１カバー面２１の外側に引っ張ることができる。したがって、第１蓋露出開口２１１および第２蓋露出開口２２１を容易に広げることができる。
【００５３】
以上のように、本実施形態のプリンター用カバー２は、弾性を有する一体形成物であり、テーププリンター１に装着される。テーププリンター１は、複数のケース面と、カートリッジ蓋１２とを備えている。複数のケース面には、カートリッジ装着部１４の第１開放部分１４１が形成された第１ケース面１１１、およびカートリッジ装着部１４の第２開放部分１４２が形成された第２ケース面１１２が含まれる。カートリッジ蓋１２の蓋部材１２１は、第１開放部分１４１を開放可能に閉塞し、カートリッジ蓋１２の第２窓部１２２ｂは、第２開放部分１４２を開放可能に閉塞する。プリンター用カバー２は、複数のカバー面と、第１蓋露出開口２１１および第２蓋露出開口２２１とを備えている。複数のカバー面には、第１ケース面１１１を覆う第１カバー面２１、および第２ケース面１１２を覆う第２カバー面２２が含まれる。第１蓋露出開口２１１は、第１カバー面２１に設けられ、カートリッジ蓋１２の蓋部材１２１を露出させる。第２蓋露出開口２２１は、第２カバー面２２に設けられ、カートリッジ蓋１２の第２窓部１２２ｂを露出させる。
【００５４】
この構成によれば、プリンター用カバー２がテーププリンター１に装着された状態において、カートリッジ蓋１２の開閉動作を可能とする。したがって、ユーザーは、プリンター用カバー２がテーププリンター１に装着された状態のまま、カートリッジ蓋１２を開けたり閉めたりすることができる。
【００５５】
なお、第１開放部分１４１および第２開放部分１４２は、「開放部分」の一例である。第１ケース面１１１ないし第６ケース面１１６は、「ケース面」の一例である。第１ケース面１１１および第２ケース面１１２は、「装着ケース面」の一例である。第１カバー面２１ないし第６カバー面２６は、「カバー面」の一例である。第１カバー面２１および第２カバー面２２は、「装着カバー面」の一例である。第１蓋露出開口２１１および第２蓋露出開口２２１は、「蓋露出開口」の一例である。蓋部材１２１は、「第１蓋部」の一例である。第２窓部１２２ｂは、「第２蓋部」の一例である。第１プリンター側面取り部１１７および第２プリンター側面取り部１１８は、「プリンター側面取り部」の一例である。第１カバー側面取り部２７および第２カバー側面取り部２８は、「カバー側面取り部」の一例である。電源ボタン１１７ｂは、「操作ボタン」の一例である。
【００５６】
本発明は上記した実施形態に限定されず、その趣旨を逸脱しない範囲で種々の構成を採用可能であることは言うまでもない。例えば、本実施形態は、以下のような形態に変更することができる。
【００５７】
プリンター用カバー２は、第１蓋露出開口２１１と第２蓋露出開口２２１との双方を備えていなくてもよい。例えば、テーププリンター１において、カートリッジ装着部１４に第１開放部分１４１のみが設けられ、カートリッジ蓋１２が第１開放部分１４１のみを閉塞する場合、プリンター用カバー２は、第１蓋露出開口２１１のみを備えた構成でもよい。なお、この場合、テープ排出口１５が、プリンター用カバー２によって覆われないようにすることが好ましい。例えば、第２カバー面２２に、第１蓋露出開口２１１とは不連続で、テープ排出口１５を露出させる開口を設けてもよく、或いは、テープ排出口１５を第１ケース面１１１（より具体的には、第１蓋露出開口２１１によって露出される位置）に設けてもよい。
【００５８】
第１蓋露出開口２１１は、蓋部材１２１を完全に露出させる必要はなく、カートリッジ蓋１２の開閉動作に支障のない範囲で、蓋部材１２１の一部を覆っていてもよい。第２蓋露出開口２２１についても同様である。
【００５９】
プリンター用カバー２において、第２カバー面２２と第５カバー面２５との角部、および第２カバー面２２と第６カバー面２６との角部に、面取り部（第１カバー側面取り部２７、第２カバー側面取り部２８）を設けたが、これらの角部に面取り部を設ける必要はなく、いずれか一方の角部にのみ面取り部を設けてもよい。また、プリンター用カバー２の他の角部、例えば、第４カバー面２４と第５カバー面２５との角部、或いは、第４カバー面２４と第６カバー面２６との角部に、面取り部を設けてもよい。テーププリンター１の角部についても同様である。
【００６０】
プリンター用カバー２において、第１カバー側面取り部２７は、第１カバー面２１に向かって、第１カバー面２１の内側に傾斜していなくてもよい。また、第２カバー側面取り部２８が、第１カバー面２１に向かって、第１カバー面２１の内側に傾斜していてもよい。テーププリンター１の第１プリンター側面取り部１１７或いは第２プリンター側面取り部１１８についても同様である。
【００６１】
ボタン被覆部２７ｂは、ボタン被覆部２７ｂの周縁部と比べて、厚さが厚くてもよい。すなわち、ボタン被覆部２７ｂは、その表面が突出した凸部となっていてもよい。また、電源ボタン１１７ｂのほか、他の操作ボタン（例えば、印刷動作を停止させるための停止ボタン）がプリンター用カバー２に覆われる場合にも、その操作ボタンを覆う部位（ボタンカバー面）の厚さを、その周縁部よりも薄く或いは厚くしてもよい。
【００６２】
プリンター用カバー２は、第１蓋露出開口２１１、第２蓋露出開口２２１、ボタン露出開口２４１およびライト露出開口２７ａのほかにも、テーププリンター１に適切に装着される範囲で、テーププリンター１のある部位を露出させる開口を備えていてもよい。例えば、プリンター用カバー２は、ボタン被覆部２７ｂに代えて、電源ボタン１１７ｂを露出させる開口を設けてもよい。また、プリンター用カバー２は、電池蓋１３を露出させる開口を備えていてもよい。
【符号の説明】
【００６３】
２…プリンター用カバー、２１…第１カバー面、２２…第２カバー面、１１１…第１ケース面、１１２…第２ケース面、１１７ａ…ライト領域、１２１…蓋部材、１２２ｂ…第２窓部、１４１…第１開放部分、１４２…第２開放部分、２１１…第１蓋露出開口、２２１…第２蓋露出開口。